【手続補正書】
【提出日】平成17年8月23日(2005.8.23)
【手続補正１】
【補正対象書類名】特許請求の範囲
【補正対象項目名】全文
【補正方法】変更
【補正の内容】
【特許請求の範囲】
【請求項１】
酵素反応を測定する方法であって、
（ａ）前記酵素の試料を基質と共にインキュベートして反応溶液を形成するステップと、
（ｂ）前記反応溶液をアッセイモジュール内の複数のアッセイドメインと接触させるステップであって、前記アッセイドメインが、
（ｉ）前記基質に結合可能である第１のアッセイドメインと
（ｉｉ）前記基質に対する前記酵素の作用によって形成される産物に結合可能である第２のアッセイドメインとを含むステップと、
（ｃ）前記第１のアッセイドメイン及び前記第２のアッセイドメインへの前記基質及び産物の結合を検出して前記酵素反応を測定するステップとを含む方法。
【請求項２】
酵素反応を測定するためのアッセイモジュールであって、
（ａ）前記酵素の基質又は産物に結合可能である第１のアッセイドメインと、
（ｂ）前記酵素に結合可能である第２のアッセイドメインとを含む、アッセイモジュール。
【請求項３】
酵素反応を測定する方法であって、
（ａ）酵素を、
（ｉ）前記酵素の基質又は産物の１つに結合可能である第１のアッセイドメインと、
（ｉｉ）前記酵素に結合可能である第２のアッセイドメインとを含むアッセイモジュールに導入するステップと、
（ｂ）前記第２のアッセイドメインに前記酵素を結合させるステップと、
（ｃ）前記アッセイモジュールを洗浄して前記酵素を精製するステップと、
（ｄ）前記酵素を前記基質と接触させて前記産物を形成するステップと、
（ｅ）前記基質又は産物の前記１つと前記第１のアッセイドメインとの前記結合を測定して前記酵素反応を測定するステップとを含む方法。
【請求項４】
酵素を測定する方法であって、
（ａ）酵素を、
（ｉ）前記酵素の基質又は産物の１つに結合可能である第１のアッセイドメインと、
（ｉｉ）前記酵素に結合可能である第２のアッセイドメインとを含むアッセイモジュールに導入するステップと、
（ｂ）前記第２のアッセイドメインに前記酵素を結合させるステップと、
（ｃ）前記酵素を前記基質と接触させて前記産物を形成するステップと、
（ｄ）前記基質又は産物の前記１つと前記第１のアッセイドメインとの前記結合を測定して前記酵素の活性を測定するステップと、
（ｅ）前記第２のアッセイドメインへの前記酵素の結合を測定して酵素量を測定するステップとを含む方法。
【請求項５】
酵素反応を測定する方法であって、
（ａ）酵素を、
（ｉ）前記酵素の基質又は産物の１つに結合可能である第１のアッセイドメインと、
（ｉｉ）前記酵素に結合可能である第２のアッセイドメインとを含むアッセイモジュールに導入するステップと、
（ｂ）前記第２のアッセイドメインに前記酵素を結合させて固定酵素を形成するステップと、
（ｃ）前記酵素を前記基質と接触させて前記産物を形成するステップと、
（ｄ）前記基質又は産物の前記１つと前記第１のアッセイドメインとの前記結合を測定して前記酵素反応を測定するステップと、
（ｅ）前記固定酵素の改変を分析するステップとを含む方法。
【請求項６】
前記酵素を前記改変に特異的な結合試薬と接触させるステップをさらに含む、請求項５に記載の方法。
【請求項７】
前記酵素を改変活性と接触させるステップをさらに含み、改変の前記分析ステップで前記改変活性を測定する、請求項５に記載の方法。
【請求項８】
酵素による基質から産物への酵素反応を測定するためのアッセイモジュールであって、
（ａ）（ｉ）酵素、（ｉｉ）基質、（ｉｉｉ）産物、（ｉｖ）反応中間体、（ｖ）反応副産物及び／又は（ｖｉ）反応干渉物質からなる群から選択される第１の反応物に結合可能である第１のアッセイドメインと、
（ｂ）（ｉ）酵素、（ｉｉ）基質、（ｉｉｉ）産物、（ｉｖ）反応中間体、（ｖ）反応副産物及び／又は（ｖｉ）反応干渉物質からなる群から選択される第２の反応物に結合可能である第２のアッセイドメインとを含み、
前記第１の反応物と前記第２の反応物とが異なり、それによって前記酵素反応の少なくとも２つの反応物が測定されるアッセイモジュール。
【請求項９】
切断反応を測定するためのアッセイモジュールであって、
（ａ）切断反応用基質を含む第１のアッセイドメインと、
（ｂ）前記切断反応の産物に結合可能である第２のアッセイドメインとを含むアッセイモジュール。
【請求項１０】
アッセイモジュールにおいて切断反応を測定する方法であって、前記アッセイモジュールが、
（ａ）前記切断反応用基質を含む第１のアッセイドメインと、
（ｂ）前記切断反応の産物に結合可能である第２のアッセイドメインとを含むアッセイモジュール。
【請求項１１】
複数の酵素に対する阻害剤の効果を決定する方法であって、前記酵素に対する基質をその上に固定した複数のアッセイドメインと前記阻害剤及び前記複数の酵素を含有する試料を接触させるステップと、前記複数の酵素に対する前記阻害剤の前記効果を検出するステップとを含む方法。
【請求項１２】
前記複数の酵素が複数のキナーゼを含む、請求項１１に記載の方法。
【請求項１３】
複数のアッセイドメインを有するアッセイモジュールであって、前記アッセイドメインが前記アッセイドメイン上に固定された酵素を有するアッセイモジュール。
【請求項１４】
前記アッセイドメインが、第１の酵素を第１のアッセイドメイン上に固定した第１のアッセイドメインと第２の酵素を第２のアッセイドメイン上に固定した第２のアッセイドメインとを含む、請求項１３に記載のアッセイモジュール。
【請求項１５】
前記酵素の産物に結合可能である結合試薬をさらに含み、前記結合試薬が、前記アッセイドメインに隣接する結合ドメインに固定されている、請求項１３又は１４に記載のアッセイモジュール。
【請求項１６】
前記酵素の産物に結合可能である結合試薬をさらに含み、前記結合試薬が前記アッセイドメイン上に前記酵素と共に固定されている、請求項１３又は１４に記載のアッセイモジュール。
【請求項１７】
前記アッセイドメインが、前記アッセイドメイン上に固定された前記酵素によって産生される産物の拡散が減少するように構成された封じ込め領域内に含まれている、請求項１３、１４、１５又は１６に記載のアッセイモジュール。
【請求項１８】
前記アッセイドメインが誘電体層内の底部にあって、前記アッセイドメイン上に固定された前記酵素によって産生される産物の拡散が減少する、請求項１３、１４、１５又は１６に記載のアッセイモジュール。
【請求項１９】
複数の酵素の活性を測定する方法であって、
（ａ）前記酵素の基質を含む溶液を、
（ｉ）前記酵素をアッセイドメイン上に固定した複数のアッセイドメインと、
（ｉｉ）前記基質に対する前記酵素の作用によって得られた産物に結合可能である結合試薬とを含むアッセイモジュールに導入するステップであって、
前記酵素が前記基質に作用して前記産物を形成し、前記結合試薬が前記酵素と前記アッセイドメイン中に共に固定されており、又は前記結合試薬が、前記アッセイドメインに隣接する結合ドメインに固定されているステップと、
（ｂ）前記結合試薬への前記産物の結合を測定して、前記複数の酵素の活性を測定するステップであって、特定の結合ドメイン内に位置する又はそれに隣接する結合試薬への結合の程度によって前記結合ドメイン内の酵素活性が示されるステップとを含む方法。
【請求項２０】
複数の酵素を含有する試料を、その上に固定された前記酵素に対応する基質を含む複数のアッセイドメインを有するアッセイモジュールと接触させるステップと、前記アッセイドメインにおいて前記基質の酵素反応を検出するステップとを含むアッセイを実施する方法。
【請求項２１】
その上に固定された酵素と前記酵素によって開始される酵素反応の産物に結合可能である試薬とを有するアッセイドメイン。
【請求項２２】
複数のアッセイドメインを含むアッセイモジュールであって、前記複数のアッセイドメインが、
（ａ）分析物Ａ、分析物Ｅ及び分析物Ｃに結合可能である第１のアッセイドメインと、
（ｂ）分析物Ｂ、分析物Ｃ及び分析物Ｆに結合可能である第２のアッセイドメインと、
（ｃ）分析物Ｂ、分析物Ｄ及び分析物Ｅに結合可能である第３のアッセイドメインと、
（ｄ）分析物Ａ、分析物Ｄ及び分析物Ｆに結合可能である第４のアッセイドメインとを含むアッセイモジュール。
【請求項２３】
前記第１のアッセイドメイン、前記第２のアッセイドメイン及び前記第３のアッセイドメインが分析物Ｇに結合可能であり、前記第２のアッセイドメイン、前記第３のアッセイドメイン及び前記第４のアッセイドメインが分析物Ｈに結合可能であり、前記第１のアッセイドメイン、第３のアッセイドメイン及び前記第４のアッセイドメインが分析物Ｉに結合可能である、請求項２２に記載のアッセイモジュール。
【請求項２４】
前記第１のアッセイドメインが分析物Ｗに結合可能であり、前記第２のアッセイドメインが分析物Ｘに結合可能であり、前記第３のアッセイドメインが分析物Ｙに結合可能であり、前記第４のアッセイドメインが分析物Ｚに結合可能である、請求項２２に記載のアッセイモジュール。
【請求項２５】
複数のアッセイドメインを含むアッセイモジュールであって、前記複数のアッセイドメインが、
（ａ）分析物Ａ、分析物Ｅ、分析物Ｆ及び分析物Ｈに結合可能である第１のアッセイドメインと、
（ｂ）分析物Ａ、分析物Ｂ、分析物Ｇ及び分析物Ｉに結合可能である第２のアッセイドメインと、
（ｃ）分析物Ｂ、分析物Ｃ、分析物Ｈ及び分析物Ｊに結合可能である第３のアッセイドメインと、
（ｄ）分析物Ｃ、分析物Ｄ、分析物Ｆ及び分析物Ｉに結合可能である第４のアッセイドメインと、
（ｅ）分析物Ｄ、分析物Ｅ、分析物Ｇ及び分析物Ｊに結合可能である第５のアッセイドメインとを含むアッセイモジュール。
【請求項２６】
（ａ）前記第１のアッセイドメインが分析物Ｋに結合可能であり、
（ｂ）前記第２のアッセイドメインが分析物Ｌに結合可能であり、
（ｃ）前記第３のアッセイドメインが分析物Ｍに結合可能であり、
（ｄ）前記第４のアッセイドメインが分析物Ｎに結合可能であり、
（ｅ）前記第５のアッセイドメインが分析物Ｏに結合可能である、請求項２５に記載のアッセイモジュール。
【請求項２７】
Ｍ個のアッセイドメインとＺ個の異なるアッセイ試薬とを含むアッセイモジュールであって、
（ｉ）Ｍが３よりも大きな整数であり、ＺがＭよりも大きく（Ｍ！）／［２！（Ｍ−２）！］以下の整数であり、
（ｉｉ）１〜Ｍ−１個のアッセイ試薬が各ドメインに固定され、少なくとも１つのアッセイ試薬が一意的な１対のドメインに固定されるように、前記アッセイ試薬が前記アッセイドメイン間に分布しているアッセイモジュール。
【請求項２８】
アッセイ試薬と相互作用する物質をスクリーニングする方法であって、
（ａ）前記物質を、Ｍ個のアッセイドメインとＺ個の異なるアッセイ試薬とを含むアッセイモジュールに導入するステップであって、
（ｉ）Ｍが３よりも大きな整数であり、ＺがＭよりも大きく（Ｍ！）／［２！（Ｍ−２）！］以下の整数であり、
（ｉｉ）１〜Ｍ−１個のアッセイ試薬が各ドメインに固定され、少なくとも１つのアッセイ試薬が一意的な１対のドメインに固定されるように、前記アッセイ試薬が前記アッセイドメイン間に分布しているステップと、
（ｂ）前記物質と相互作用するアッセイ試薬を決定するステップとを含む方法。
【請求項２９】
Ｍ個のアッセイドメインとＺ個の異なるアッセイ試薬とを含むアッセイモジュールであって、
（ｉ）Ｍが３よりも大きな整数であり、ＺがＭよりも大きく（Ｍ！）／［Ｚ！（Ｍ−Ｚ）！］以下の整数であり、
（ｉｉ）１つを超えるアッセイ試薬が各ドメインに固定され、各アッセイ試薬が一意的な１組の１〜Ｚ個のドメインに固定されるように、前記アッセイ試薬が前記アッセイドメイン間に分布しているアッセイモジュール。
【請求項３０】
アッセイ試薬と相互作用する物質をスクリーニングする方法であって、
（ａ）前記物質を、Ｍ個のアッセイドメインとＺ個の異なるアッセイ試薬とを含むアッセイモジュールに導入するステップであって、
（ｉ）Ｍが３よりも大きな整数であり、ＺがＭよりも大きく（Ｍ！）／［Ｚ！（Ｍ−Ｚ）！］以下の整数であり、
（ｉｉ）少なくとも１つのアッセイ試薬が各ドメインに固定され、各アッセイ試薬が一意的な１組の１〜Ｚ個のドメインに固定されるように、前記アッセイ試薬が前記アッセイドメイン間に分布しているステップと、
（ｂ）前記物質と相互作用するアッセイ試薬を決定するステップとを含む方法。
【請求項３１】
複数のアッセイドメインを含むアッセイモジュールであって、前記複数のアッセイドメインが、１つ又は複数の結合試薬を含む１つ又は複数のアッセイドメインを含み、予め結合された標識を含む第１の対照ドメインと、規定の反応をもたらす第２の対照ドメインと、本質的に遮断薬からなる第３の対照ドメインとをさらに含むアッセイモジュール。
【請求項３２】
前記第１の対照ドメインが、（ｉ）ＥＣＬ発生に対する化学的干渉、（ｉｉ）光透過に対する光学的干渉、及び／又は（ｉｉｉ）モジュール変化の１つ又は複数を制御する、請求項３１に記載のアッセイモジュール。
【請求項３３】
前記第２の対照ドメインが、（ｉ）非特異的結合又は生化学活性、（ｉｉ）ＥＣＬ発生に対する化学的干渉、（ｉｉｉ）光透過に対する光学的干渉、（ｉｖ）ピペット操作誤差、（ｖ）タイミング誤差、（ｖｉ）混合の変動、（ｖｉｉ）温度変動、及び（ｖｉｉｉ）アッセイモジュールの変動の１つ又は複数を制御する、請求項３１又は３２に記載のアッセイモジュール。
【請求項３４】
前記第３の対照ドメインが非特異的結合を制御する、請求項３１、３２又は３３に記載のアッセイモジュール。
【請求項３５】
第１のアッセイドメインと第２のアッセイドメインとを含むアッセイモジュールであって、前記第１のアッセイドメインが分析物に結合可能である結合試薬を含み、前記第２のアッセイドメインが前記分析物又は前記分析物のアナログを含むアッセイモジュール。
【請求項３６】
第１のアッセイドメインと第２のアッセイドメインとを含むアッセイモジュールであって、前記第１のアッセイドメインが分析物に結合し、前記第２のアッセイドメインが前記分析物と競合するアッセイモジュール。
【請求項３７】
目的分析物を分析する方法であって、
（ａ）前記分析物を含む試料を、前記分析物に結合する第１のドメインと前記分析物と競合する第２のドメインとの２つのアッセイドメインを含むアッセイモジュールに導入するステップと、
（ｂ）前記アッセイモジュールにおいて前記分析物のサンドイッチアッセイ及び競合アッセイを実施するステップとを含む方法。
【請求項３８】
第１のアッセイドメインと第２のアッセイドメインとを含むアッセイモジュールであって、前記第１のアッセイドメインが、分析物とのサンドイッチ複合体を形成可能である結合試薬を含み、前記第２のアッセイドメインが、前記分析物と競合する結合試薬を含むアッセイモジュール。
【請求項３９】
分析物に対する結合親和性を有する第１のアッセイドメインと第２のアッセイドメインとを含むアッセイモジュールであって、前記第１のアッセイドメインが分析物に対して前記第２のアッセイドメインの結合親和性の少なくとも１０倍の結合親和性を有するアッセイモジュール。
【請求項４０】
目的分析物を分析する方法であって、
（ａ）前記分析物を含む試料を、前記分析物に対する結合親和性を有する第１のアッセイドメインと第２のアッセイドメインとの２つのアッセイドメインを含むアッセイモジュールに導入するステップであって、前記第１のアッセイドメインが前記分析物に対して前記第２のアッセイドメインの結合親和性の少なくとも１０倍の結合親和性を有するステップと、
（ｂ）前記第１のドメイン及び前記第２のドメインにおいて前記分析物のサンドイッチアッセイを実施するステップとを含む方法。
【請求項４１】
第１のアッセイドメインと第２のアッセイドメインとを含むアッセイモジュールであって、前記第１のアッセイドメインが酵素に対する第１の基質を含み、前記第２のアッセイドメインが前記酵素に対する第２の基質を含み、前記第１の基質が前記第２の基質よりも遅いターンオーバー速度及び／又は高いＶｍａｘを有するアッセイモジュール。
【請求項４２】
酵素反応産物に結合可能であるアッセイ試薬を含む１つ又は複数のアッセイドメインと、前記酵素反応の１つ又は複数の酵素を捕捉可能である封鎖剤（ｓｅｑｕｅｓｔｒａｎｔ）を含む１つ又は複数の隔離ドメインとを含むアッセイモジュール。
【請求項４３】
１つ又は複数の酵素を含む試料をアッセイモジュール内の複数のアッセイドメインと接触させるステップを含むアッセイを実施する方法であって、前記複数のアッセイドメインが、１つ又は複数の酵素反応産物に結合可能であるアッセイドメインと前記酵素反応の１つ又は複数の酵素を捕捉する１つ又は複数の酵素捕捉ドメインとを含む方法。
【請求項４４】
前記試料の未結合成分を前記モジュールから洗浄するステップをさらに含む、請求項４３に記載の方法。
【請求項４５】
前記酵素反応の１つ又は複数の基質を含む第２の試料を添加するステップをさらに含む、請求項４３又は４４に記載の方法。
【請求項４６】
複数のアッセイドメインを含むアッセイモジュールを用いてアッセイを実施する方法であって、前記アッセイドメインが、
（ｉ）第１の酵素に結合可能である第１の酵素ドメインと、
第２の酵素に結合可能である第２の酵素ドメインと、
第３の酵素に結合可能である第３の酵素ドメインとを含めた酵素に結合可能である１列の酵素ドメインと、
（ｉｉ）前記第１の酵素に対応する第１の産物に結合可能である第１の産物ドメインと、
前記第２の酵素に対応する第２の産物に結合可能である第２の産物ドメインと、
前記第３の酵素に対応する第３の産物に結合可能である第３の産物ドメインとを含む前記酵素の産物に結合可能である１列の産物ドメインとを含み、
前記方法が、
（ａ）１つ又は複数の酵素と前記１つ又は複数の酵素に対応する１つ又は複数の基質とを含めて複数の成分を含有する試料を、前記１列の酵素ドメイン及び前記１列の産物ドメインと接触させるステップと、
（ｂ）前記第１の産物ドメインにおける前記第１の産物、前記第２の産物ドメインにおける前記第２の産物、及び前記第３の産物ドメインにおける前記第３の産物を検出するステップとを含む方法。
【請求項４７】
前記酵素ドメインが前記対応する産物ドメインに隣接している、請求項４６に記載の方法。
【請求項４８】
前記酵素ドメインが前記対応する産物ドメインに重なっている、請求項４７に記載の方法。
【請求項４９】
前記第１の酵素ドメインにおける前記第１の酵素、前記第２の酵素ドメインにおける前記第２の酵素、及び前記第３の酵素ドメインにおける前記第３の酵素を検出するステップをさらに含む、請求項４６、４７又は４８に記載の方法。
【請求項５０】
前記酵素がキナーゼであり、前記産物が前記酵素のリン酸化産物に対応している、請求項４６、４７、４８又は４９に記載の方法。
【請求項５１】
２つ以上のアッセイドメインを含むアッセイモジュールを用いて１つ又は複数の酵素の複数の酵素活性を決定する方法であって、１つ又は複数の酵素を含む試料を、第１の酵素反応の第１の産物に結合可能である第１のドメイン及び第２の酵素反応の第２の産物に結合可能である第２のドメインと接触させるステップと、前記第１のドメイン及び前記第２のドメインにおいて前記第１の産物及び前記第２の産物を検出するステップとを含む方法。
【請求項５２】
前記モジュールが、さらに、前記１つ又は複数の酵素に結合可能である１つ又は複数の酵素アッセイドメインを含む、請求項５１に記載の方法。
【請求項５３】
前記１つ又は複数の酵素アッセイドメインにおいて前記１つ又は複数の酵素を検出するステップをさらに含む、請求項５２に記載の方法。
【請求項５４】
前記モジュールが、さらに、前記１つ又は複数の酵素に対応する１つ又は複数の基質に結合可能である１つ又は複数の基質アッセイドメインを含む、請求項５１に記載の方法。
【請求項５５】
前記１つ又は複数の基質アッセイドメインにおいて前記１つ又は複数の基質を検出するステップをさらに含む、請求項５４に記載の方法。
【請求項５６】
複数のアッセイドメインを含むアッセイモジュールであって、前記複数のアッセイドメインが、タンパク質切断を含めた活性を測定可能である第１のアッセイドメインと、前記活性の切断産物を測定可能である第２のアッセイドメインとを含むアッセイモジュール。
【請求項５７】
前記第１のアッセイドメインがその上に固定された標識タンパク質を含み、前記第２のアッセイドメインがその上に固定された前記標識タンパク質の切断誘導体に結合可能である結合試薬を含む、請求項５６に記載のアッセイモジュール。
【請求項５８】
アッセイ試薬を含む１つ又は複数のアッセイドメインと、干渉種を隔離する隔離剤（ｓｅｑｕｅｓｔｒａｔｉｏｎ  ａｇｅｎｔ）を含む１つ又は複数の隔離ドメインとを含む、アッセイモジュール。
【請求項５９】
前記１つ又は複数の隔離ドメインが、ビオチン、抗ストレプトアビジン、ヘモグロビン、ビリルビン、脂質、高及び低アルブミン、ＨＡＭＡ、抗ルテニウム、高リウマチ因子、ジゴキシンのＤＬＩＦ又はジギトキシンタイプの分子、薬物／コメッズ（ｃｏ  ｍｅｄｓ）、交差反応性分析物、及びそれらの組合せの１つ又は複数の干渉種を隔離する、請求項５８に記載のアッセイモジュール。
【請求項６０】
アッセイ試薬を含む１つ又は複数のアッセイドメインと、標識試薬を隔離可能である隔離剤を含む１つ又は複数の隔離ドメインとを含むアッセイモジュール。
【請求項６１】
試料と１つ又は複数の試薬とを含有する組成物を前記複数のアッセイドメインと接触させるステップを含む、複数のアッセイドメインを有するアッセイモジュールを用いてアッセイを実施する方法であって、前記１つ又は複数の試薬が、分析物に結合可能である標識試薬、分析物のアナログ又は前記分析物の結合相手を含み、前記複数のアッセイドメインが、前記分析物に結合可能である第１のアッセイドメインと前記標識試薬に結合可能である第２のアッセイドメインとを含む方法。
【請求項６２】
前記第１のアッセイドメイン上の前記分析物を検出するステップをさらに含む、請求項６１に記載の方法。
【請求項６３】
複数のアッセイドメインを含むアッセイモジュールであって、前記アッセイドメインが、分析物に結合可能である第１のアッセイドメインと、１つ又は複数の凍結乾燥試薬に結合可能である第２のアッセイドメインとを含むアッセイモジュール。
【請求項６４】
複数のアッセイドメインを含むアッセイモジュールを用いてアッセイを実施する方法であって、前記アッセイドメインが、１つ又は複数の酵素に結合可能である第１のアッセイドメインと、前記１つ又は複数の酵素の１つ又は複数の酵素産物に結合可能である第２のアッセイドメインとを含み、前記方法が、
（ａ）１つ又は複数の酵素を含めた複数の成分を含有する第１の試料を前記モジュール内の前記第１のアッセイドメインと接触させ、それによって前記１つ又は複数の酵素を固定するステップと、
（ｂ）前記第１の試料の未結合成分を前記モジュールから分離させるステップと、
（ｃ）前記１つ又は複数の酵素の１つ又は複数の基質を含有する第２の試料を前記第２のアッセイドメインと接触させるステップと、
（ｄ）前記第２のアッセイドメインに結合した前記酵素産物を検出するステップとを含む方法。
【請求項６５】
前記第１のアッセイドメイン上の前記１つ又は複数の酵素を検出するステップをさらに含む、請求項６４に記載の方法。
【請求項６６】
前記アッセイモジュールがマルチウェルプレートであり、前記アッセイモジュール内の前記アッセイドメインが前記プレートのウェル内に位置する、請求項２、８、９、１３、１４、１５、１６、１７、１８、２２、２３、２４、２５、２６、２７、２９、３１、３２、３３、３４、３５、３６、３８、３９、４１、４２、５６、５７、５８、５９、６０又は６３に記載のアッセイモジュール。
【請求項６７】
前記ウェルが１つ又は複数の作用電極表面を備え、前記アッセイドメインが前記１つ又は複数の作用電極表面上に位置する、請求項６６のマルチウェルプレート。
【請求項６８】
前記アッセイモジュールが、さらに、１つ又は複数の作用電極表面を備え、前記アッセイドメインが前記１つ又は複数の作用電極表面上に位置する、請求項２、８、９、１３、１４、１５、１６、１７、１８、２２、２３、２４、２５、２６、２７、２９、３１、３２、３３、３４、３５、３６、３８、３９、４１、４２、５６、５７、５８、５９、６０又は６３に記載のアッセイモジュール。
【請求項６９】
前記アッセイモジュールがマルチウェルプレートであり、前記アッセイモジュール内の前記アッセイドメインが前記プレートのウェル内に位置する、請求項１、３、４、５、６、７、１０、１９、２０、２８、３０、３７、４０、４３、４４、４５、４６、４７、４８、４９、５０、５１、５２、５３、５４、５５、６１、６２、６４又は６５に記載の方法。
【請求項７０】
前記ウェルが１つ又は複数の作用電極表面を備え、前記アッセイドメインが前記１つ又は複数の作用電極表面上に位置する、請求項６９に記載の方法。
【請求項７１】
前記アッセイモジュールが、さらに、１つ又は複数の作用電極表面を備え、前記アッセイドメインが前記１つ又は複数の作用電極表面上に位置する、請求項１、３、４、５、６、７、１０、１９、２０、２８、３０、３７、４０、４３、４４、４５、４６、４７、４８、４９、５０、５１、５２、５３、５４、５５、６１、６２、６４又は６５に記載の方法。
【請求項７２】
前記複数のアッセイドメインが１つ又は複数の作用電極上に位置する、請求項１１又は１２に記載の方法。
【請求項７３】
前記アッセイドメインが作用電極上に位置する、請求項２１に記載のアッセイドメイン。
【手続補正２】
【補正対象書類名】明細書
【補正対象項目名】０１７８
【補正方法】変更
【補正の内容】
【０１７８】
本発明は、本明細書に記載する具体的な実施形態によって範囲が限定されるべきではない。実際、本明細書に記載する実施形態に加えて本発明の様々な変更形態が、上述の説明及び添付した図から当業者には明らかになるはずである。このような変更形態も、特許請求の範囲内にあるものとする。様々な出版物を本明細書に引用したが、その開示全体を参照により本明細書に援用する。
（１）  本発明の一実施態様では、複数のアッセイドメインを含む発光アッセイを実施するためのアッセイモジュールであって、前記アッセイドメインが、第１の試薬を有する第１のアッセイドメインと第２の試薬を有する第２のアッセイドメインとを含み、前記第１のアッセイドメインが前記第２のアッセイドメインの少なくとも１０倍明るい発光を生成可能であり、前記第１のアッセイドメインと前記第２のアッセイドメインが隣接しておらずかつ／又は少なくとも１つの他のアッセイドメインによって分離されて、前記第１のアッセイドメインから放出される発光と前記第２のアッセイドメインから放出される発光との干渉が低減されたアッセイモジュールが提供される。
（２）  また、本発明の他の実施態様では、複数のアッセイドメインを含むアッセイモジュールにおいて複数の分析物のアッセイを実施する方法であって、前記アッセイドメインが、第１の分析物を測定するための第１の試薬を有する第１のアッセイドメインと第２の分析物を測定するための第２の試薬を有する第２のアッセイドメインとを含み、前記第１のアッセイドメインが前記第２のアッセイドメインの少なくとも１０倍明るい発光を生成可能であり、前記第１のアッセイドメインと前記第２のアッセイドメインが隣接しておらずかつ／又は少なくとも１つの他のアッセイドメインによって分離されて、前記第１のアッセイドメインから放出される発光と前記第２のアッセイドメインから放出される発光との干渉が低減されたアッセイモジュールが提供される。
（３）  前記第１のアッセイドメインが前記第２のアッセイドメインの少なくとも１０倍の捕捉試薬を含む、（１）に記載の方法。
（４）  前記第１のアッセイドメインが前記第２のアッセイドメインの少なくとも１０倍多い試薬を含む、（２）に記載の方法。
（５）  前記第１のアッセイドメインが前記第２のアッセイドメインの少なくとも１００倍明るい発光を生成可能である、（１）に記載のアッセイモジュール。
（６）  前記第１のアッセイドメインが前記第２のアッセイドメインの少なくとも１，０００倍明るい発光を生成可能である、（１）に記載のアッセイモジュール。
（７）  前記第２のアッセイドメインが、放出された発光を減少させる１つ又は複数の特性を有する、（１）、（３）、（５）又は（６）に記載のアッセイモジュール。
（８）  前記１つ又は複数の特性が、放出された発光を減少させる捕捉試薬及び／又は放出された発光を減少させる標的分析物を含む、（７）に記載のアッセイモジュール。
（９）  前記第１のアッセイドメインが少なくとも１つの他のアッセイドメインによって前記第２のアッセイドメインから分離されている、（１）、（３）、（５）、（６）、（７）又は（８）に記載のアッセイモジュール。
（１０）  前記第１のアッセイドメインと前記第２のアッセイドメインが別個に指定可能である、（１）、（３）、（５）、（６）、（７）、（８）又は（９）に記載のアッセイモジュール。
（１１）  前記アッセイモジュールが、複数のウェルを備えるマルチウェルプレートであって、前記ウェルの各々が前記複数のアッセイドメインのコピーを有する、（１）、（３）、（５）、（６）、（７）、（８）、（９）又は（１０）に記載のアッセイモジュール。
（１２）  複数のアッセイドメインを含む発光アッセイを実施するためのアッセイモジュールを作製する方法であって、前記アッセイドメイン間の干渉が低減するように構成されたパターンで前記アッセイドメインを形成するステップを含む方法。
（１３）  前記パターンが、前記アッセイドメインから放出される発光間の干渉が低減するように構成されている、（１２）に記載の方法。
（１４）  前記パターンが、前記アッセイドメインにおいて起こる反応間の干渉が低減するように構成されている、（１２）又は（１３）に記載の方法。
（１５）  前記アッセイドメインを形成する前記ステップが、第２のアッセイドメインに隣接しないように第１のアッセイドメインを配置するステップを含む、（１２）、（１３）又は（１４）に記載の方法。
（１６）  前記アッセイドメインを形成する前記ステップが、第２のアッセイドメインに隣接しないように第１のアッセイドメインを配置するステップを含み、前記第１のアッセイドメインにおいて起こる反応又は前記第１のアッセイドメインに固定された試薬が、（ｉ）前記第２のアッセイドメインにおいて生成される発光、（ｉｉ）前記第２のアッセイドメインにおいて起こる反応、及び／又は（ｉｉｉ）前記第２のアッセイドメインに固定された試薬と干渉する、（１２）、（１３）又は（１４）に記載の方法。
（１７）  前記パターンが前記発光アッセイの性能を最適化するように構成されている、（１２）、（１３）、（１４）、（１５）又は（１６）に記載の方法。
（１８）  前記パターンが前記アッセイドメインの配列、間隔、サイズ及び濃度を含む、（１２）、（１３）、（１４）、（１５）、（１６）又は（１７）に記載の方法。
（１９）  パネルの分析物を測定するための複数のアッセイドメインを含むアッセイモジュールであって、前記パネルがサイトカイン及び／又はそれらの受容体；成長因子及び／又はそれらの受容体；セカンドメッセンジャー；乱用薬物；治療薬物；自己抗体；アレルゲン特異的抗体；腫瘍マーカー；心臓マーカー；止血に関連するマーカー；急性ウイルス肝炎感染マーカー；アルツハイマー病マーカー；骨粗しょう症マーカー；受胎能マーカー；うっ血性心不全マーカー；甲状腺障害マーカー；前立腺癌のマーカー；サイトカイン、成長因子、アポトーシス経路の成分、Ｐ４５０酵素の発現、腫瘍関連遺伝子の発現をコードするｍＲＮＡのｍＲＮＡレベルを測定するための核酸アレイ；個体、病原体、腫瘍細胞の遺伝形質を決定するための核酸アレイから選択される分析物カテゴリの成分である複数の分析物を含むアッセイモジュール。
（２０）  前記アッセイドメインが、（ｉ）分析物又は分析物アナログ、（ｉｉ）分析物に結合する結合試薬、及び／又は（ｉｉｉ）分析物の触媒活性基質を含む、（１９）に記載のアッセイモジュール。
（２１）  アッセイモジュールを用いて複数の分析物のアッセイを実施する方法であって、
（ａ）前記アッセイモジュール内の複数のアッセイドメインと試料を接触させるステップであって、前記複数のアッセイドメインによってパネルの分析物を測定することが可能であり、前記パネルが、サイトカイン及び／又はそれらの受容体；成長因子及び／又はそれらの受容体；セカンドメッセンジャー；乱用薬物；治療薬物；自己抗体；アレルゲン特異的抗体；腫瘍マーカー；心臓マーカー；止血に関連するマーカー；急性ウイルス肝炎感染マーカー；アルツハイマー病マーカー；骨粗しょう症マーカー；受胎能マーカー；うっ血性心不全マーカー；甲状腺障害マーカー；前立腺癌のマーカー；サイトカイン、成長因子、アポトーシス経路の成分、Ｐ４５０酵素の発現、腫瘍関連遺伝子の発現をコードするｍＲＮＡのｍＲＮＡレベルを測定するための核酸アレイ；個体、病原体、腫瘍細胞の遺伝形質を決定するための核酸アレイから選択される分析物カテゴリの成分である複数の分析物を含むステップと、
（ｂ）前記アッセイドメインにおいて前記分析物を測定するステップとを含む方法。
（２２）  電気化学発光アッセイモジュールを用いて電気化学発光アッセイを実施する方法であって、
（ａ）前記モジュール内の複数のアッセイドメインと試料を接触させるステップであって、前記複数のアッセイドメインによってパネルの分析物を測定することが可能であり、前記パネルがサイトカイン及び／又はそれらの受容体；成長因子及び／又はそれらの受容体；セカンドメッセンジャー；乱用薬物；治療薬物；自己抗体；アレルゲン特異的抗体；腫瘍マーカー；心臓マーカー；止血に関連するマーカー；急性ウイルス肝炎感染マーカー；アルツハイマー病マーカー；骨粗しょう症マーカー；受胎能マーカー；うっ血性心不全マーカー；甲状腺障害マーカー；前立腺癌のマーカー；サイトカイン、成長因子、アポトーシス経路の成分、Ｐ４５０酵素の発現、腫瘍関連遺伝子の発現をコードするｍＲＮＡのｍＲＮＡレベルを測定するための核酸アレイ；個体、病原体、腫瘍細胞の遺伝形質を決定するための核酸アレイから選択される分析物カテゴリの成分である複数の分析物を含み、前記アッセイドメインが１つ又は複数の作用電極を備え又はそれに隣接しているステップと、
（ｂ）前記複数のアッセイドメインにおいて電気化学発光を誘発させるステップと、
（ｃ）放出された電気化学発光を検出するステップと、を含む方法。
（２３）  パネルの分析物を測定する複数の結合ドメインを含むアッセイモジュールにおいてリガンドの特異的結合アッセイを実施する方法であって、前記パネルがサイトカイン及び／又はそれらの受容体；成長因子及び／又はそれらの受容体；セカンドメッセンジャー；乱用薬物；治療薬物；自己抗体；アレルゲン特異的抗体；腫瘍マーカー；心臓マーカー；止血に関連するマーカー；急性ウイルス肝炎感染マーカー；アルツハイマー病マーカー；骨粗しょう症マーカー；受胎能マーカー；うっ血性心不全マーカー；甲状腺障害マーカー；前立腺癌のマーカー；サイトカイン、成長因子、アポトーシス経路の成分、Ｐ４５０酵素の発現、腫瘍関連遺伝子の発現をコードするｍＲＮＡのｍＲＮＡレベルを測定するための核酸アレイ；個体、病原体、腫瘍細胞の遺伝形質を決定するための核酸アレイから選択される分析物カテゴリの成分である複数の分析物を含む方法。
（２４）  前記パネルが成長因子受容体のパネルである、（２３）に記載の方法。
（２５）  複数のアッセイドメインを含むアッセイモジュールであって、前記アッセイドメインが、分析物の第１の形態に結合可能な第１の試薬を含む第１のアッセイドメインと前記分析物の第２の形態に結合可能な第２の試薬を含む第２のアッセイドメインとを含むアッセイモジュール。
（２６）  ２つの形態の分析物を測定する方法であって、
（ａ）複数のアッセイドメインを含むアッセイモジュールに試料を導入するステップであって、第１のアッセイドメインが、分析物の第１の形態に結合可能な第１の試薬を含み、第２のアッセイドメインが、前記分析物の第２の形態に結合可能である第２の試薬を含むステップと、
（ｂ）前記第１のアッセイドメイン及び前記第２のアッセイドメインへの分析物の結合を測定して前記第１の形態及び第２の形態の量を測定するステップとを含む方法。
（２７）  前記第２の形態が前記第１の形態の切断された一部である、（２６）に記載の方法。
（２８）  前記第２の形態が前記第１の形態の切断された一部である、（２５）に記載のアッセイモジュール。
（２９）  前記第２の形態が前記第１の形態のユビキチン結合した形態である、（２５）に記載のアッセイモジュール。
（３０）  前記分析物の前記第２の形態が前記第１の形態のリン酸化体である、（２５）に記載のアッセイモジュール。
（３１）  前記第２の形態が前記第１の形態の結合体（ｂｏｕｎｄ  ｆｏｒｍ）である、
（２５）に記載のアッセイモジュール。
（３２）  前記第２のアッセイドメインが前記第１の形態にも結合可能である、（２５）に記載のアッセイモジュール。
（３３）  前記第１の形態が非グリコシル化タンパク質であり、前記第２の形態がグリコシル化タンパク質である、（２５）に記載のアッセイモジュール。
（３４）  前記第１の形態が遊離ＰＳＡであり、前記分析物の前記第２の形態が結合ＰＳＡである、（２５）に記載のアッセイモジュール。
（３５）  前記第１の形態及び前記第２の形態と結合可能である検出試薬をさらに含む、（２５）、（２６）、（２７）、（２８）、（２９）、（３０）、（３１）、（３２）、（３３）又は（３４）に記載のアッセイモジュール。
（３６）  アッセイを実施するためのアッセイモジュールであって、
（ａ）第１の分析物に結合可能である第１の試薬を有する第１のアッセイドメインと、
（ｂ）前記第１の分析物の改変形態に結合可能である第２の試薬を有する第２のアッセイドメインと、
（ｃ）第２の分析物に結合可能である第３の試薬を有する第３のアッセイドメインと、
（ｄ）前記第２の分析物の改変形態に結合可能である第４の試薬を有する第４のアッセイドメインとを含むアッセイモジュール。
（３７）  前記アッセイモジュールが、さらに、前記第１の分析物、前記第１の分析物の前記改変形態、前記第２の分析物、及び前記第２の分析物の改変形態に結合可能である標識試薬を含む、（３６）に記載のアッセイモジュール。
（３８）  前記分析物の第１の形態に結合可能である第１の試薬を含む第１のアッセイドメインと前記分析物の第２の形態に結合可能である第２の試薬を含む第２のアッセイドメインとを有するアッセイモジュールにおいて単一試料中の２つ以上の分析物形態を測定する方法であって、
（ａ）前記試料を、前記第１のアッセイドメイン及び前記第２のアッセイドメイン、並びに前記分析物の前記第１の形態及び前記第２の形態に結合可能である標識試薬と接触させるステップと、
（ｂ）前記標識試薬から放出されたシグナルを検出するステップとを含む方法。
（３９）  未結合標識試薬を除去する洗浄ステップをさらに含む、（３８）に記載の方法。
（４０）  アッセイを実施するためのアッセイモジュールであって、
（ａ）第１の分析物に結合可能である第１の試薬を有する第１のアッセイドメインと、
（ｂ）前記第１の分析物の改変形態に結合可能である第２の試薬を有する第２のアッセイドメインと、
（ｃ）第２の分析物に結合可能である第３の試薬を有する第３のアッセイドメインと、
（ｄ）前記第２の分析物の改変形態に結合可能である第４の試薬を有する第４のアッセイドメインとを含むアッセイモジュール。
（４１）  前記アッセイモジュールが、さらに、前記第１の分析物、前記第１の分析物の前記改変形態、前記第２の分析物、及び前記第２の分析物の改変形態に結合可能である標識試薬を含む、（４０）に記載のアッセイモジュール。
（４２）  前記分析物の第１の形態に結合可能である第１の試薬を含む第１のアッセイドメインと前記分析物の第２の形態に結合可能である第２の試薬を含む第２のアッセイドメインとを有するアッセイモジュールにおいて単一試料中の２つ以上の分析物形態を測定する方法であって、
（ａ）前記試料を、前記第１のアッセイドメイン及び前記第２のアッセイドメイン、並びに前記分析物の前記第１の形態及び前記第２の形態に結合可能である標識試薬と接触させるステップと、
（ｂ）前記標識試薬から放出されたシグナルを検出するステップとを含む方法。
（４３）  未結合標識試薬を除去する洗浄ステップをさらに含む、（４２）に記載の方法。
（４４）  前記分析物の第１のエピトープに結合可能である第１の試薬を含む第１のアッセイドメインと前記分析物の第２のエピトープに結合可能である第２の試薬を含む第２のアッセイドメインとを有するアッセイモジュールにおいて単一試料中の分析物の２つ以上のエピトープを測定する方法であって、前記試料を、前記第１のアッセイドメイン及び前記第２のアッセイドメインと接触させるステップを含む方法。
（４５）  前記試料を、前記分析物に結合可能である１つ又は複数の標識と接触させるステップと、前記１つ又は複数の標識によって放出されるシグナルを検出するステップとをさらに含む、（４４）に記載の方法。
（４６）  分析物のアッセイを実施するためのアッセイモジュールであって、
（ａ）前記分析物に結合可能である第１の試薬を含む第１のアッセイドメインと、
（ｂ）前記分析物に結合可能である前記第１の試薬又は第２の試薬を含む第２のアッセイドメインとを含み、
前記第１のアッセイドメインと前記第２のアッセイドメインが異なる特性を有し、前記異なる特性が表面積、試薬濃度、熱安定性、ｐＨ感度、ぬれ性、エピトープ特異性、結合動力学、非特異的結合特性及び結合定数からなる群から選択されるアッセイモジュール。
（４７）  分析物のアッセイを実施するためのアッセイドメインの設計を最適化するためのアッセイモジュールであって、
（ａ）前記分析物に結合可能である第１の試薬を含む第１のアッセイドメインと、
（ｂ）前記第１の試薬を含む第２のアッセイドメインとを含み、
前記第１のアッセイドメインと前記第２のアッセイドメインが異なる諸特性を有し、前記異なる諸特性が表面積、試薬濃度、熱安定性、ｐＨ安定性、疎水性又は親水性、共反応物、エピトープ特異性、結合動力学、非特異的結合特性、結合定数及び／又は熱力学からなる群から選択されるアッセイモジュール。
（４８）  分析物のアッセイにおけるアッセイ誤差源を検出又は補正する方法であって、
（ａ）分析物を含む試料を、
（ｉ）前記分析物に結合可能である第１の試薬を含む第１のアッセイドメインと、
（ｉｉ）前記第１の試薬を含む第２のアッセイドメインとを含むアッセイモジュールに導入するステップであって、
前記第１のアッセイドメインと前記第２のアッセイドメインが異なる諸特性を有し、前記異なる諸特性が表面積、試薬濃度、熱安定性、ｐＨ安定性、疎水性又は親水性、共反応物、エピトープ特異性、結合動力学、非特異的結合特性、結合定数及び／又は熱力学からなる群から選択されるステップと、
（ｂ）第１のアッセイドメインと第２のアッセイドメインへの分析物の結合性を比較してアッセイ誤差源を検出又は補正するステップとを含む方法。
（４９）  生物学的材料を同定するためのアッセイモジュールであって、
（ａ）第１の生物学的材料の成分及び第２の生物学的材料の成分に結合可能である試薬を含む第１のアッセイドメインと、
（ｂ）前記第１の生物学的材料の前記成分及び前記第２の生物学的材料の前記成分に結合可能である第２の試薬を含む第２のアッセイドメインとを含み、
前記第２のアッセイドメインに対する前記第１のアッセイドメインへの結合比によって前記生物学的材料のアイデンティティが示されるアッセイモジュール。
（５０）  生物学的材料を同定する方法であって、
（ａ）前記生物学的材料の試料を、
（ｉ）第１の生物学的材料の第１の成分及び第２の生物学的材料の第１の成分に結合可能である試薬を含む第１のアッセイドメインと、
（ｂ）前記第１の生物学的材料の第２の成分及び前記第２の生物学的材料の第２の成分に結合可能である第２の試薬を含む第２のアッセイドメインとを含むアッセイモジュールに導入するステップであって、
前記第２のアッセイドメインに対する前記第１のアッセイドメインへの結合比によって前記生物学的材料のアイデンティティが示されるステップと、
（ｂ）前記第１のアッセイドメインと前記第２のアッセイドメインへの前記生物学的材料の結合比を測定して前記生物学的材料のアイデンティティを決定するステップとを含む方法。
（５１）  類似した諸特性を有する２つ以上の病原体のアッセイを実施するための方法であって、
（ａ）前記第１の病原体及び前記第２の病原体に結合可能である試薬を含む第１のアッセイドメインと前記第１の病原体及び前記第２の病原体に結合可能である第２の試薬を含む第２のアッセイドメインとを有するアッセイモジュールに試料を導入するステップであって、前記第１の病原体が存在することによって前記第１のアッセイドメインが前記第２のアッセイドメインよりも大きなシグナルを放出するステップと、
（ｂ）前記第１のアッセイドメインから放出された第１のシグナル及び前記第２のアッセイドメインから放出された第２のシグナルを検出するステップとを含む方法。
（５２）  前記第１のシグナル及び前記第２のシグナルから前記第１の病原体及び前記第２の病原体の量を解析するステップをさらに含む、（５１）に記載の方法。
（５３）  （ａ）分析物に結合可能である試薬を含む第１のアッセイドメインと、
（ｂ）前記分析物に結合可能である前記試薬を含む第２のアッセイドメインとを含み、
前記第１のアッセイドメインと前記第２のアッセイドメインが実質的に同じ濃度の前記試薬を含み、かつそれぞれ独立に指定可能であるアッセイモジュール。
（５４）  反応速度を決定する方法であって、
（ａ）複数のアッセイドメインを有するアッセイモジュールと試料を接触させるステップであって、前記アッセイドメインの各々が、分析物に結合可能なある濃度の試薬を含み、かつそれぞれ独立に指定可能であるステップと、
（ｂ）前記アッセイドメインからのシグナルを順次指定し検出するステップとを含む方法。
（５５）  前記反応が酵素反応である、（５４）に記載の方法。
（５６）  前記ドメインが酵素反応産物に対する結合試薬を含む、（５５）に記載の方法。
（５７）  前記反応が２つの結合相手の結合反応であり、前記ドメインが前記結合相手の１つを含む、（５４）に記載の方法。
（５８）  １つ又は複数の分析物を検出するのに使用するアッセイモジュールの作製を最適化する方法であって、
（ａ）複数のアッセイドメインを有するプロトタイプのアッセイモジュールを形成するステップであって、前記複数のアッセイドメインが前記１つ又は複数の分析物と結合可能であり、異なるパラメータを有することが可能であり、前記異なるパラメータが（ｉ）結合試薬、（ｉｉ）共反応物、（ｉｉｉ）ｐＨ、（ｉｖ）ウェル内の位置、（ｖ）試薬濃度、（ｖｉ）ドメイン位置、（ｖｉｉ）アッセイ試薬親和性、（ｖｉｉｉ）アッセイ試薬特異性、（ｉｘ）干渉物質に対する感度、及び（ｘ）光学的ひずみに対する感度からなる群から選択されるステップと、
（ｂ）前記１つ又は複数の分析物を含有する試験試料を用いて前記プロトタイプアッセイモジュールによって試験アッセイを実施するステップと、
（ｃ）最高性能が得られるアッセイドメインを決定するステップとを含む方法。
（５９）  第１の分析物及び／又は第２の分析物を検出するためのアッセイモジュールであって、
（ａ）前記第１の分析物及び前記第２の分析物に結合するが、前記第２の分析物よりも前記第１の分析物により良好に結合する第１のアッセイドメインと、
（ｂ）前記第１の分析物及び前記第２の分析物に結合するが、前記第１の分析物よりも前記第２の分析物により良好に結合する第２のアッセイドメインとを含むアッセイモジュール。
（６０）  試料中の少なくとも第１の分析物及び第２の分析物を検出する方法であって、前記第１の分析物及び前記第２の分析物が類似の結合特性を有し、前記方法が、
（ａ）第１のアッセイドメイン及び第２のアッセイドメインと前記試料を接触させるステップであって、前記第１のアッセイドメインは前記第１の分析物及び前記第２の分析物に結合するが、前記第２の分析物よりも前記第１の分析物により良好に結合し、前記第２のアッセイドメインは前記第１の分析物及び前記第２の分析物に結合するが、前記第１の分析物よりも前記第２の分析物により良好に結合するステップと、
（ｂ）前記第１のアッセイドメインを誘発してシグナルを放出させるステップと、
（ｃ）前記第１のアッセイドメインからの前記シグナルを測定するステップと、
（ｄ）前記第１の分析物及び／又は前記第２の分析物の量を解析するステップとを含む方法。
（６１）  前記第２のアッセイドメインが前記第２の分析物を隔離する、（６０）に記載の方法。
（６２）  前記第２のアッセイドメインからのシグナルを測定するステップをさらに含む、（６０）又は（６１）に記載の方法。
（６３）  分析物と少なくとも１つの干渉物質を含む試料のアッセイを実施するためのアッセイモジュールであって、
（ａ）前記分析物に結合可能であるアッセイドメインと、
（ｂ）前記干渉物質に結合可能である隔離ドメインとを含むアッセイモジュール。
（６４）  前記モジュールが、前記隔離ドメインに結合する前記干渉物質を測定するようになされた、（６３）に記載のアッセイモジュール。
（６５）  干渉物質の存在下で分析物を測定する方法であって、
（ａ）試料を、
（ｉ）前記分析物に結合可能であるアッセイドメインと、
（ｉｉ）前記干渉物質に結合可能である隔離ドメインとを含むアッセイモジュールに導入するステップと、
（ｂ）前記アッセイドメインへの前記分析物の結合を検出するステップとを含む方法。
（６６）  酵素反応を測定するアッセイモジュールであって、
（ａ）前記酵素の基質に結合可能である第１のアッセイドメインと、
（ｂ）前記基質に対する前記酵素の作用によって形成される産物に結合可能である第２のアッセイドメインとを含むアッセイモジュール。